(57)【要約】【課題】ヒートポンプとタンクを備える給湯システムにおいて、ヒートポンプのエネルギー効率を高めることが可能な技術を提供する。【解決手段】本明細書が開示する給湯システムは、水を加熱するヒートポンプと、ヒートポンプで加熱された水を蓄えるタンクと、給湯設定温度を取得する取得手段と、過去の給湯設定温度の履歴を記憶する設定履歴記憶手段を備えている。その給湯システムでは、ヒートポンプにおける水の目標加熱温度が、過去の給湯設定温度の履歴に基づいて設定される。【選択図】図１
2015137801.tif 000002
【特許請求の範囲】
【請求項１】
水を加熱するヒートポンプと、
ヒートポンプで加熱された水を蓄えるタンクと、
給湯設定温度を取得する取得手段と、
過去の給湯設定温度の履歴を記憶する設定履歴記憶手段を備えており、
ヒートポンプにおける水の目標加熱温度が、過去の給湯設定温度の履歴に基づいて設定される、給湯システム。
【請求項２】
ヒートポンプにおける水の目標加熱温度が、過去の所定期間における最も高い給湯設定温度以上となるように設定される、請求項１の給湯システム。
【請求項３】
過去の給湯の履歴を記憶する給湯履歴記憶手段と、
過去の給湯の履歴に基づいて、温水需要が発生する時間帯を推定する推定手段をさらに備えており、
ヒートポンプが、推定された温水需要が発生する時間帯に応じて、タンクの水を加熱するように構成されており、
ヒートポンプにおける水の目標加熱温度が、過去の所定期間のうち、対応する温水需要が発生する時間帯における、最も高い給湯設定温度以上となるように設定される、請求項１の給湯システム。
【請求項４】
水を加熱するバーナ加熱装置をさらに備える請求項１から３の何れか一項の給湯システム。
【発明の詳細な説明】
【技術分野】
【０００１】
本明細書で開示する技術は、給湯システムに関する。
【背景技術】
【０００２】
特許文献１には、水を加熱するヒートポンプと、ヒートポンプで加熱された水を蓄えるタンクと、給湯設定温度を取得する取得手段を備える給湯システムが開示されている。
【先行技術文献】
【特許文献】
【０００３】
【特許文献１】特開２０１３−２２４７８３号公報
【発明の概要】
【発明が解決しようとする課題】
【０００４】
一般に、ヒートポンプで水を加熱する際には、加熱後の水の温度が低いほどヒートポンプのエネルギー効率は高い。このため、ヒートポンプにおける水の目標加熱温度は、可能な限り低く設定することが好ましい。しかしながら、給湯システムの給湯設定温度は、ユーザが所定の範囲（例えば３５℃〜５５℃）で自由に設定可能であるから、多くの場合、従来の給湯システムでは、ユーザが給湯設定温度として設定可能な最高温度（例えば５５℃）よりも高い温度を、ヒートポンプにおける水の目標加熱温度として設定している。ヒートポンプにおける水の目標加熱温度をより低く設定して、ヒートポンプのエネルギー効率をより高めることが可能な技術が期待されている。
【０００５】
本明細書では、上記課題を解決する技術を開示する。本明細書では、ヒートポンプとタンクを備える給湯システムにおいて、ヒートポンプのエネルギー効率を高めることが可能な技術を提供する。
【課題を解決するための手段】
【０００６】
本明細書が開示する給湯システムは、水を加熱するヒートポンプと、ヒートポンプで加熱された水を蓄えるタンクと、給湯設定温度を取得する取得手段と、過去の給湯設定温度の履歴を記憶する設定履歴記憶手段を備えている。その給湯システムでは、ヒートポンプにおける水の目標加熱温度が、過去の給湯設定温度の履歴に基づいて設定される。
【０００７】
上記の給湯システムによれば、ユーザが過去に設定した給湯設定温度の履歴に基づいて、ヒートポンプにおける水の目標加熱温度を設定する。このような構成とすることによって、ヒートポンプにおける水の目標加熱温度を必要以上に高く設定してしまうことを防ぎ、ヒートポンプのエネルギー効率を高めることができる。
【０００８】
上記の給湯システムは、ヒートポンプにおける水の目標加熱温度が、過去の所定期間における最も高い給湯設定温度以上となるように設定されるように構成することができる。
【０００９】
一般的に、ユーザは一定の生活サイクルの中で給湯システムを利用しており、過去の所定期間において設定された最も高い給湯設定温度よりも高い給湯設定温度を設定することは稀である。上記のような構成とすることによって、ヒートポンプにおける水の目標加熱温度を必要以上に高く設定してしまうことを防ぎ、ヒートポンプのエネルギー効率を高めることができる。
【００１０】
上記の給湯システムは、過去の給湯の履歴を記憶する給湯履歴記憶手段と、過去の給湯の履歴に基づいて、温水需要が発生する時間帯を推定する推定手段をさらに備えており、ヒートポンプが、推定された温水需要が発生する時間帯に応じて、タンクの水を加熱するように構成されており、ヒートポンプにおける水の目標加熱温度が、過去の所定期間のうち、対応する温水需要が発生する時間帯における、最も高い給湯設定温度以上となるように設定されるように構成することができる。
【００１１】
ユーザによっては、例えば朝の台所では３５℃程度の給湯設定温度とし、夕方のシャワーでは４５℃程度の給湯設定温度とするといったように、温水需要の内容によって異なる給湯設定温度が設定される場合がある。上記のような構成とすることによって、ヒートポンプにおける水の目標加熱温度を必要以上に高く設定してしまうことを防ぎ、ヒートポンプのエネルギー効率を高めることができる。
【００１２】
上記の給湯システムは、水を加熱するバーナ加熱装置をさらに備えるように構成することができる。
【００１３】
上記の給湯システムによれば、ユーザが過去の給湯設定温度よりも高い給湯設定温度を設定した場合でも、その給湯設定温度での給湯を速やかに行うことができる。ユーザの利便性をより向上することができる。
【図面の簡単な説明】
【００１４】
【図１】給湯システム２の構成を模式的に示す図。
【図２】給湯システム２が深夜沸上げモードで沸上げ運転を行う場合の、沸上げ温度および沸上げ開始時刻を設定する処理のフローチャート。
【図３】給湯システム２が深夜沸上げモードで沸上げ運転を行う場合の、一日の間での、供給熱量とタンク１０の蓄熱量の関係を示す図。
【図４】給湯システム２が学習沸上げモードで沸上げ運転を行う場合の、沸上げ温度および沸上げ開始時刻を設定する処理のフローチャート。
【図５】給湯システム２が学習沸上げモードで沸上げ運転を行う場合の、一日の間での、供給熱量とタンク１０の蓄熱量の関係を示す図。
【発明を実施するための形態】
【００１５】
（実施例）
図１に示すように、本実施例に係る給湯システム２は、タンク１０と、タンク水循環路２０と、水道水導入路３０と、供給路４０と、ヒートポンプ５０と、バーナ加熱装置６０と、リモコン９０と、コントローラ１００を備える。
【００１６】
ヒートポンプ５０は、外気から吸熱して、タンク水循環路２０内の水を加熱する熱源である。ヒートポンプ５０は、図示しないが、熱媒体（代替フロン、例えばＲ４１０Ａ等やＣＯ２）を循環させる熱媒体循環路と、外気と熱媒体との間で熱交換を行う蒸発器と、熱媒体を圧縮して高温高圧にする圧縮器と、タンク水循環路２０内の水と高温高圧の熱媒体との間で熱交換を行う凝縮器と、熱交換を終えた後の熱媒体を減圧させて低温低圧にする膨張弁を備えている。
【００１７】
タンク１０は、ヒートポンプ５０によって加熱された温水を貯える。タンク１０は、密閉型であり、断熱材によって外側が覆われている。タンク１０内には満水まで水が貯留されている。本実施例では、タンク１０の容量は２００Ｌである。タンク１０には、サーミスタ１２、１４、１６、１８がタンク１０の高さ方向に所定間隔で取り付けられている。各サーミスタ１２、１４、１６、１８は、その取付位置の水の温度を測定する。
【００１８】
タンク水循環路２０は、上流端がタンク１０の下部に接続されており、下流端がタンク１０の上部に接続されている。タンク水循環路２０には、循環ポンプ２２が介装されている。循環ポンプ２２は、タンク水循環路２０内の水を上流側から下流側へ送り出す。また、タンク水循環路２０は、ヒートポンプ５０の凝縮器を通過している。循環ポンプ２２とヒートポンプ５０とを作動させると、タンク１０の下部の水がヒートポンプ５０で加熱され、加熱された水がタンク１０の上部に戻される。即ち、タンク水循環路２０は、タンク１０の水を沸き上げて、タンク１０に蓄熱するための循環水路である。また、タンク水循環路２０のヒートポンプ５０の上流側には、サーミスタ２４が介装されている。サーミスタ２４は、タンク１０の下部からヒートポンプ５０に送られる水の温度を測定する。
【００１９】
水道水導入路３０は、上流端が水道水供給源３１に接続されている。水道水導入路３０には、サーミスタ３２と水量センサ３３が介装されている。サーミスタ３２は、水道水の温度を測定する。水量センサ３３は、給湯システム２に供給される水道水の水量（すなわち、給湯システム２が供給する温水の水量）を測定する。水道水導入路３０の下流側は、第１導入路３０ａと第２導入路３０ｂに分岐している。第１導入路３０ａの下流端は、タンク１０の下部に接続されている。第２導入路３０ｂの下流端は、後述の供給路４０の途中に接続されている。第２導入路３０ｂの下流端と供給路４０との接続部分には、混合弁４２が設けられている。混合弁４２は、供給路４０内を流れる温水に、第２導入路３０ｂ内の水を混合させる量を調整する。
【００２０】
供給路４０は、上流端がタンク１０の上部に接続されている。上述したように、供給路４０の途中には、水道水導入路３０の第２導入路３０ｂが接続されており、接続部分には混合弁４２が設けられている。第２導入路３０ｂとの接続部より上流側の供給路４０には、タンク１０から送り出される温水の水量を測定する水量センサ４１が介装されている。第２導入路３０ｂとの接続部より下流側の供給路４０には、バーナ加熱装置６０が介装されている。供給路４０の下流端は、温水利用箇所（例えば台所、浴槽等）に接続されている。バーナ加熱装置６０より下流側の供給路４０には、サーミスタ４４が介装されている。サーミスタ４４は、温水利用箇所に供給される温水の温度を測定する。バーナ加熱装置６０は、サーミスタ４４が測定する温水の温度が、給湯設定温度と一致するように、供給路４０内の水を加熱する。
【００２１】
リモコン９０は、ユーザが様々な指示を入力可能な操作部９２と、様々な情報を表示可能な表示部９４とを有している。ユーザはリモコン９０を介して、温水利用箇所へ給湯する際の給湯設定温度を設定することができる。
【００２２】
コントローラ１００は、給湯システム２の各構成要素と電気的に接続されており、各構成要素の動作を制御する。コントローラ１００は、現在時刻を取得するタイマ１０２と、各種データを記憶するメモリ１０４を備えている。コントローラ１００のメモリ１０４には、過去の所定期間（例えば７日間）における、給湯システム２から温水利用箇所へ供給された温水の水量や温度、タンク１０から温水利用箇所へ送り出された温水の水量、給湯システム２から温水利用箇所へ供給した熱量などの経時的変化が、過去の給湯の履歴として記憶される。温水利用箇所へ供給する熱量は、温水利用箇所へ供給される温水の水量と、温水利用箇所へ供給される温水と水道水との温度差から算出することができる。また、コントローラ１００のメモリ１０４には、過去の所定期間（例えば７日間）における、リモコン９０で設定されている給湯設定温度の経時的変化が、過去の給湯設定温度の履歴として記憶される。
【００２３】
次いで、本実施例の給湯システム２の動作について説明する。給湯システム２は、主に、沸上げ運転及び給湯運転を実行することができる。
【００２４】
（沸上げ運転）
沸上げ運転は、ヒートポンプ５０によってタンク１０内の水を循環加熱する運転である。沸上げ運転は、蓄熱運転または貯湯運転と呼ぶこともできる。沸上げ運転では、ヒートポンプ５０を駆動するとともに、循環ポンプ２２を作動させる。循環ポンプ２２が作動すると、タンク水循環路２０内をタンク１０内の水が循環する。即ち、タンク１０の下部に存在する水がタンク水循環路２０内に導入され、導入された水がヒートポンプ５０内の凝縮器で加熱されて、タンク１０の上部に戻される。この際に、ヒートポンプ５０からタンク１０へ戻される水の温度が、予め設定された沸上げ温度となるように、ヒートポンプ５０および循環ポンプ２２の動作が制御される。すなわち、ここでいう沸上げ温度は、ヒートポンプ５０における水の目標加熱温度に相当する。沸上げ運転の間は、タンク１０の上部には、高温の水の層が形成され、下部には、低温の水の層が形成される。沸上げ運転を継続して、タンク１０の内部の水が全て沸上げ温度まで加熱されると、沸上げ運転を終了する。
【００２５】
（給湯運転）
給湯運転は、タンク１０内の水を温水利用箇所に供給する運転である。温水利用箇所の給湯栓が開かれると、水道水供給源３１からの水圧によって、水道水導入路３０（第１導入路３０ａ）からタンク１０の下部に水道水が流入する。同時に、タンク１０上部の温水が、供給路４０を介して温水利用箇所に供給される。
【００２６】
コントローラ１００は、タンク１０から供給路４０に供給される水の温度（即ち、サーミスタ１２の測定温度）が、給湯設定温度より高い場合には、混合弁４２を開いて第２導入路３０ｂから供給路４０に水道水を導入する。この場合、タンク１０から供給された水と第２導入路３０ｂから供給された水道水とが、供給路４０内で混合される。コントローラ１００は、温水利用箇所に供給される水の温度が、給湯設定温度と一致するように、混合弁４２の開度を調整する。一方、コントローラ１００は、タンク１０から供給路４０に供給される水の温度が、給湯設定温度より低い場合には、バーナ加熱装置６０を作動させる。この場合、供給路４０を通過する水がバーナ加熱装置６０によって加熱される。コントローラ１００は、温水利用箇所に供給される水の温度が、給湯設定温度と一致するように、バーナ加熱装置６０の出力を制御する。
【００２７】
上記の給湯運転では、バーナ加熱装置６０による加熱を行う場合に比べて、バーナ加熱装置６０による加熱を行うことなく、タンク１０の蓄熱のみを利用する場合の方が、ＣＯＰが高い。このため、給湯運転に先立って、沸上げ運転を行っておいて、タンク１０に十分な蓄熱量を確保しておくことが好ましい。本実施例の給湯システム２は、沸上げ運転を実行するタイミングに関連して、深夜沸上げモードと学習沸上げモードを備えている。ユーザはリモコンを介して、深夜沸上げモードまたは学習沸上げモードを選択しておくことができる。コントローラ１００は、選択されたモードに従って、自動的に沸上げ運転を実行する。以下では、深夜沸上げモードと学習沸上げモードについてそれぞれ説明する。
【００２８】
（深夜沸上げモード）
深夜沸上げモードでは、安価な深夜電力料金が適用される深夜時間帯（例えば２３：００〜７：００）の間にタンク１０の水を沸き上げて、一日に必要となる熱量を予めタンク１０に蓄熱しておく。深夜沸上げモードが選択されている場合、コントローラ１００は、毎日、所定時刻（例えば２：００）になると、図２に示す処理を実行する。
【００２９】
ステップＳ１０２では、タンク１０の必要蓄熱量を算出する。タンク１０の必要蓄熱量は、例えば、過去の所定期間（例えば７日間）における給湯の履歴に基づいて算出される。本実施例では、過去の７日間における、一日に使用された総熱量の平均値を、タンク１０の必要蓄熱量として算出する。
【００３０】
ステップＳ１０４では、ヒートポンプ５０の沸上げ温度を設定する。沸上げ温度は、ステップＳ１０２で算出された必要蓄熱量と、タンク１０の容量から特定される。ヒートポンプ５０の沸上げ温度が低いほど、ヒートポンプ５０のＣＯＰは向上するため、本実施例では、タンク１０の容量で必要蓄熱量を蓄熱するために必要とされる最も低い水温が、ヒートポンプ５０の沸上げ温度として設定される。本実施例では、３５℃から９０℃の範囲で、沸上げ温度が設定される。
【００３１】
ステップＳ１０６では、ステップＳ１０４で設定された沸上げ温度が６０℃以上であるか否かを判断する。沸上げ温度が６０℃以上の場合（ステップＳ１０６でＹＥＳの場合）、その後の沸上げ運転によってタンク１０の内部の水は確実に殺菌されるため、処理はステップＳ１１４へ進む。沸上げ温度が６０℃に満たない場合（ステップＳ１０６でＮＯの場合）、タンク１０の内部の水を殺菌する必要があるか否かを判断するため、処理はステップＳ１０８へ進む。
【００３２】
ステップＳ１０８では、過去の所定期間（例えば７２時間）以内に、タンク１０の容量以上の水量がタンク１０から温水利用箇所へ送り出されたか否かを判断する。タンク１０の容量以上の水量がタンク１０から送り出されていた場合（ステップＳ１０８でＹＥＳの場合）、タンク１０の内部には長期間にわたって滞留している水が存在しないため、殺菌のために沸上げ温度を変更する必要はない。この場合、処理はステップＳ１１４へ進む。タンク１０の容量以上の水量がタンク１０から送り出されていない場合（ステップＳ１０８でＮＯの場合）、処理はステップＳ１１０へ進む。
【００３３】
ステップＳ１１０では、過去の所定期間（例えば７２時間）以内に、６０℃以上の沸上げ温度で沸上げ運転が行われたか否かを判断する。６０℃以上の沸上げ温度で沸上げ運転が行われていた場合（ステップＳ１１０でＹＥＳの場合）、タンク１０の内部の水は殺菌されたばかりであり、再度の殺菌のために沸上げ温度を変更する必要はない。この場合、処理はステップＳ１１４へ進む。６０℃以上の沸上げ温度で沸上げ運転が行われていなかった場合（ステップＳ１１０でＮＯの場合）、処理はステップＳ１１２へ進む。
【００３４】
ステップＳ１１２では、その後の沸上げ運転においてタンク１０の内部の水を殺菌するために、沸上げ温度を６０℃に設定する。
【００３５】
ステップＳ１１４では、沸上げ完了時刻を設定する。沸上げ完了時刻は、例えば深夜電力料金が適用される深夜時間帯の終わる時刻（例えば７：００）としてもよい。あるいは、沸上げ完了時刻は、過去の所定期間（例えば７日間）において、温水需要が最初に発生する時刻の平均値（例えば６：００）と、深夜電力料金が適用される深夜時間帯の終わる時刻（例えば７：００）のうち、何れか早いほうとしてもよい。
【００３６】
ステップＳ１１６では、沸上げ開始時刻を設定する。沸上げ開始時刻は、沸上げ完了時刻までに、タンク１０の内部の水を、沸上げ温度まで沸き上げるために、沸上げ運転を開始すべき時刻である。沸上げ開始時刻は、ステップＳ１１４で設定された沸上げ完了時刻と、タンク１０の容量と、ヒートポンプ５０の沸上げ温度から算出することができる。沸上げ開始時刻を設定すると、図２の処理を終了する。
【００３７】
図２の処理を実行した後、現在時刻が設定された沸上げ開始時刻となると、給湯システム２は、設定された沸上げ温度での沸上げ運転を実行する。これによって、沸上げ完了時刻までに、タンク１０の内部に、沸上げ温度まで加熱された温水が貯えられる。
【００３８】
図３は給湯システム２が深夜沸上げモードで動作する場合の、一日の間での、温水利用箇所への供給熱量とタンク１０の蓄熱量の関係を示している。深夜沸上げモードでは、安価な深夜電力料金が適用される深夜時間帯において、一日に必要な蓄熱量を確保するようにタンク１０の水を沸き上げるため、光熱費を抑えることができる。
【００３９】
（学習沸上げモード）
学習沸上げモードでは、過去の給湯の履歴に基づいて温水需要が発生する時間帯を推定し、その時間帯の直前にタンク１０の水を沸き上げて、必要な熱量をその都度タンク１０に蓄熱しておく。学習沸上げモードが選択されている場合、コントローラ１００は、毎日、所定時刻（例えば２：００）になると、図４に示す処理を実行する。
【００４０】
ステップＳ２０２では、過去の所定期間（例えば７日間）における給湯の履歴に基づいて、温水需要が発生する時間帯を推定する。例えば、朝の洗面、炊事、洗濯等によって温水需要が発生する時間帯や、風呂の湯はりによって温水需要が発生する時間帯や、入浴時のシャワー等によって温水需要が発生する時間帯が、過去の給湯の履歴に基づいて推定される。温水需要が発生する時間帯のそれぞれに対して、ステップＳ２０４以降の処理が実行される。
【００４１】
ステップＳ２０４では、タンク１０の必要蓄熱量を算出する。タンク１０の必要蓄熱量は、ステップＳ２０２で抽出された温水需要に関して、過去に温水利用箇所へ供給された熱量の平均値として算出される。
【００４２】
ステップＳ２０６では、ヒートポンプ５０の沸上げ温度を設定する。沸上げ温度は、３５℃から６５℃の範囲で、過去の所定期間（例えば７日間）における給湯設定温度の履歴に基づいて設定される。
【００４３】
ヒートポンプ５０の沸上げ温度は、例えば過去の所定期間（例えば７日間）における最も高い給湯設定温度に、所定値（例えば５℃）を加算した温度に設定してもよい。一般的に、ユーザは７日間を生活のサイクルとすることが多く、過去の７日間において設定された最も高い給湯設定温度よりも高い給湯設定温度をユーザが設定することは稀である。上記のようにヒートポンプ５０の沸上げ温度を設定することで、沸上げ温度を必要以上に高くすることなく、ヒートポンプ５０を高効率で運転することができる。
【００４４】
あるいは、ヒートポンプ５０の沸上げ温度は、過去の所定期間のうち、対応する温水需要が発生する時間帯における最も高い給湯設定温度に、所定値（例えば５℃）を加算した温度に設定してもよい。ユーザによっては、例えば朝の台所では３５℃程度の給湯設定温度とし、夕方のシャワーでは４５℃程度の給湯設定温度とするといったように、温水需要の内容によって異なる給湯設定温度が設定される場合がある。上記のようにヒートポンプ５０の沸上げ温度を設定することで、沸上げ温度を必要以上に高くすることなく、ヒートポンプ５０を高効率で運転することができる。
【００４５】
ステップＳ２０８では、ステップＳ２０６で設定された沸上げ温度が６０℃以上であるか否かを判断する。沸上げ温度が６０℃以上の場合（ステップＳ２０８でＹＥＳの場合）、その後の沸上げ運転によってタンク１０の内部の水は確実に殺菌されるため、処理はステップＳ２１６へ進む。沸上げ温度が６０℃に満たない場合（ステップＳ２０８でＮＯの場合）、タンク１０の内部の水を殺菌する必要があるか否かを判断するため、処理はステップＳ２１０へ進む。
【００４６】
ステップＳ２１０では、過去の所定期間（例えば７２時間）以内に、タンク１０の容量以上の水量がタンク１０から温水利用箇所へ送り出されたか否かを判断する。タンク１０の容量以上の水量がタンク１０から送り出されていた場合（ステップＳ２１０でＹＥＳの場合）、タンク１０の内部には長期間にわたって滞留している水が存在しないため、殺菌のために沸上げ温度を変更する必要はない。この場合、処理はステップＳ２１６へ進む。タンク１０の容量以上の水量がタンク１０から送り出されていない場合（ステップＳ２１０でＮＯの場合）、処理はステップＳ２１２へ進む。
【００４７】
ステップＳ２１２では、過去の所定期間（例えば７２時間）以内に、６０℃以上の沸上げ温度で沸上げ運転が行われたか否かを判断する。６０℃以上の沸上げ温度で沸上げ運転が行われていた場合（ステップＳ２１２でＹＥＳの場合）、タンク１０の内部の水は殺菌されたばかりであり、再度の殺菌のために沸上げ温度を変更する必要はない。この場合、処理はステップＳ２１６へ進む。６０℃以上の沸上げ温度で沸上げ運転が行われていなかった場合（ステップＳ２１２でＮＯの場合）、処理はステップＳ２１４へ進む。
【００４８】
ステップＳ２１４では、その後の沸上げ運転においてタンク１０の内部の水を殺菌するために、沸上げ温度を６０℃に設定する。
【００４９】
ステップＳ２１６では、沸上げ完了時刻を設定する。沸上げ完了時刻は、ステップＳ２０２で抽出された温水需要が発生する時間帯の直前の時刻に設定される。
【００５０】
ステップＳ２１８では、沸上げ開始時刻を設定する。沸上げ開始時刻は、沸上げ完了時刻までに、タンク１０の内部の水を、沸上げ温度まで沸き上げるために、沸上げ運転を開始すべき時刻である。沸上げ開始時刻は、ステップＳ２１６で設定された沸上げ完了時刻と、タンク１０の容量と、ヒートポンプ５０の沸上げ温度から算出することができる。
【００５１】
ステップＳ２０２で抽出された温水需要のそれぞれに対して、沸上げ温度と沸上げ開始時刻が設定されると、図４の処理を終了する。
【００５２】
図４の処理を実行した後、現在時刻が設定された沸上げ開始時刻となる度に、給湯システム２は、設定された沸上げ温度での沸上げ運転を実行する。これによって、沸上げ完了時刻までに、タンク１０の内部に、沸上げ温度まで加熱された温水が貯えられる。
【００５３】
図５は給湯システム２が学習沸上げモードで動作する場合の、一日の間での、温水利用箇所への供給熱量とタンク１０の蓄熱量との関係を示している。学習沸上げモードでは、温水需要の発生が予想される時刻に合わせて、その都度タンク１０の水を沸き上げるため、深夜沸上げモードに比べて、タンク１０に蓄える熱量を少なくすることができる。このため、ヒートポンプ５０を低い沸上げ温度で動作させることができ、高いＣＯＰを実現することができる。また、タンク１０からの放熱量を少なくして、省エネルギーを実現することができる。
【００５４】
なお、給湯システム２が学習沸上げモードで動作する場合、ヒートポンプ５０の沸上げ温度は過去の給湯設定温度の履歴に基づいて設定されているため、ユーザが過去の所定期間よりも高い給湯設定温度を設定した場合には、給湯設定温度での給湯を行うためにバーナ加熱装置６０による加熱が必要となる。このため、本実施例の給湯システム２では、学習沸上げモードにおいて、ユーザが過去の所定期間よりも高い給湯設定温度を設定した場合に、リモコン９０の表示部９４に、給湯設定温度での給湯を行うためにバーナ加熱装置６０による加熱が必要となる旨を提示する。このような構成とすることによって、ユーザは高い給湯設定温度を設定した場合に、バーナ加熱装置６０による加熱が必要となるか否かをあらかじめ把握することができる。
【００５５】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００５６】
例えば、上記の実施例では、タンク１０の容量を２００Ｌとして、深夜沸上げモードにおいて、深夜時間帯の間に一日分の熱量をタンク１０に蓄える構成としているが、これとは異なり、タンク１０の容量を５０Ｌまたは１００Ｌとして、深夜沸上げモードにおいて、深夜時間帯の間に半日分の熱量を蓄える構成とすることもできる。
【００５７】
また、上記の実施例では、給湯システム２がバーナ加熱装置６０を備えている構成としているが、給湯システム２がバーナ加熱装置６０を備えていない構成としてもよい。このような構成では、給湯システム２が学習沸上げモードで動作している際に、ユーザが過去の所定期間よりも高い給湯設定温度を設定した場合には、新たに設定された給湯設定温度までヒートポンプ５０により加熱された水がタンク１０の上部に貯まるまで、給湯設定温度での給湯を行うことができない。従って、上記の構成においては、給湯システム２が学習沸上げモードで動作している際に、ユーザが過去の所定期間よりも高い給湯設定温度を設定した場合には、リモコン９０の表示部９４に、給湯設定温度での給湯が可能となるまでにある程度の時間を必要とする旨を提示する。このような構成とすることによって、ユーザは高い給湯設定温度を設定した場合に、その給湯設定温度での給湯が可能となるまでにある程度の時間が必要となるか否かをあらかじめ把握することができる。
【００５８】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００５９】
２：給湯システム
１０：タンク
１２、１４、１６、１８：サーミスタ
２０：タンク水循環路
２２：循環ポンプ
２４：サーミスタ
３０：水道水導入路
３０ａ：第１導入路
３０ｂ：第２導入路
３１：水道水供給源
３２：サーミスタ
３３：水量センサ
４０：供給路
４１：水量センサ
４２：混合弁
４４：サーミスタ
５０：ヒートポンプ
６０：バーナ加熱装置
９０：リモコン
９２：操作部
９４：表示部
１００：コントローラ
１０２：タイマ
１０４：メモリ
【図１】
2015137801.tif 000003
【図２】
2015137801.tif 000004
【図３】
2015137801.tif 000005
【図４】
2015137801.tif 000006
【図５】
2015137801.tif 000007